(57)【要約】【課題】視聴制限された放送番組に対し、簡単な装置構成で視聴者を判別して視聴を制限し、また視聴者がディスプレイに異常に接近した場合に警告を発する装置を提供すること。【解決手段】放送信号から放送番組の視聴制限情報を取得する制限情報取得部１４と、視聴者の携帯するタグ５から発信される視聴者情報を受信するセンサ４とを備え、センサによって受信した視聴者情報が放送信号から取得した視聴制限情報に該当する場合、映像および音声信号の出力を停止する。出力を停止する場合、表示手段に視聴制限のために出力できない旨を表示する。視聴者情報には視聴者の年令情報が含まれる。タグとセンサの交信可能範囲は、電波出力を切り替えることにより設定する。【選択図】図２
2007158654.tif 000002
【特許請求の範囲】
【請求項１】
入力した放送信号から映像および音声信号を表示手段に出力する放送受信装置であって、
上記映像および音声信号の出力制御を行う受信制御部と、
上記放送信号から放送番組の視聴制限情報を取得する制限情報取得部と、
視聴者の携帯するタグから発信される視聴者情報を受信するセンサと、
該センサによって受信した視聴者情報が上記取得した視聴制限情報に該当する場合、上記受信制御部に対し上記映像および音声信号の出力を停止するよう制御する視聴者情報管理部と、
を備えることを特徴とする放送受信装置。
【請求項２】
請求項１記載の放送受信装置において、
前記視聴制限情報には視聴者の年令を制限する情報が含まれ、前記視聴者情報には、視聴者の年令情報が含まれることを特徴とする放送受信装置。
【請求項３】
請求項１記載の放送受信装置において、
前記タグと前記センサの交信可能範囲は、該タグまたは該センサの発する電波出力を切り替えることにより任意に設定可能であることを特徴とする放送受信装置。
【請求項４】
請求項１記載の放送受信装置において、
前記受信制御部は、前記映像および音声信号の出力を停止する場合、前記表示手段に視聴制限のために出力できない旨を表示することを特徴とする放送受信装置。
【請求項５】
請求項１記載の放送受信装置において、
前記視聴者情報管理部は、前記センサから受信する視聴者情報に変化があった場合、その情報を外部の遠隔制御装置に通知することを特徴とする放送受信装置。
【発明の詳細な説明】
【技術分野】
【０００１】
本発明は、視聴者を認識し、視聴制限や警告を行う放送受信装置に関するものである。
【背景技術】
【０００２】
近年、放送局から放送される番組には、暴力シーンや性的シーンなど、未成年者または特定の年令未満の者の視聴に適さないシーンを含む場合、視聴制限がかけられている。そしてこれを受信する放送受信装置には、このような番組の視聴を制限する機能が備えられている。
【０００３】
また、輝度の変化により子供がてんかんの発作を起こす事故が起こったことから、アニメ番組の冒頭では部屋を明るくしてディスプレイから離れて視聴するように呼びかけている。
【０００４】
しかしながら、従来の放送受信装置においては視聴制限の操作はリモートコントローラなどで行うことが多く、視聴制限の対象である視聴者を自動的に認識したり、視聴者（子供）がディスプレイから本当に離れて視聴しているかどうかを自動的に確認したりすることはできなかった。
【０００５】
そこで、例えば特許文献１には、視聴者の映像をカメラで撮影し、あらかじめ登録しておいた視聴者の画像情報を元に認識し、特定の視聴者に対する視聴の制限や解除を自動的に行う技術が提案されている。
【０００６】
【特許文献１】特開２００２−１１２２１８号公報
【発明の開示】
【発明が解決しようとする課題】
【０００７】
前記特許文献１に記載の技術では、撮影画像により視聴者の認識はできるものの、視聴者を認識するための基準となる画像データベースを用意し、放送受信装置に格納しておく必要があり、装置が複雑になる。また、視聴者がディスプレイに接近しすぎた場合に、それを簡単に検知して警告を発する機能も有していない。
【０００８】
本発明の目的は、上記課題に鑑み、簡単な装置構成で、視聴者を容易に判別して視聴を制限し、また視聴者がディスプレイに異常に接近した場合に警告を発する放送受信装置を提供することにある。
【課題を解決するための手段】
【０００９】
本発明は、入力した放送信号から映像および音声信号を表示手段に出力する放送受信装置であって、映像および音声信号の出力制御を行う受信制御部と、放送信号から放送番組の視聴制限情報を取得する制限情報取得部と、視聴者の携帯するタグから発信される視聴者情報を受信するセンサと、センサによって受信した視聴者情報が取得した視聴制限情報に該当する場合、受信制御部に対し映像および音声信号の出力を停止するよう制御する視聴者情報管理部とを備える。
【００１０】
ここに、視聴制限情報には視聴者の年令を制限する情報が含まれ、視聴者情報には、視聴者の年令情報が含まれる。
【００１１】
ここにタグとセンサの交信可能範囲は、タグまたはセンサの発する電波出力を切り替えることにより任意に設定可能である。
【００１２】
さらに受信制御部は、映像および音声信号の出力を停止する場合、表示手段に視聴制限のために出力できない旨を表示する。
【００１３】
さらに視聴者情報管理部は、センサから受信する視聴者情報に変化があった場合、その情報を外部の遠隔制御装置に通知する。
【発明の効果】
【００１４】
本発明によれば、タグを用いる簡単な装置構成で、視聴者を容易に判別して視聴を制限し、また視聴者がディスプレイに異常に接近した場合に警告を発することができる。
【発明を実施するための最良の形態】
【００１５】
以下、本発明の実施の形態を図面を用いて説明する。
【実施例１】
【００１６】
図１は、本発明の放送受信装置を含む放送受信システムの一実施例を示す図である。
本実施例の放送受信システムは、装置側に放送受信装置１、ディスプレイ２、スピーカ３、センサ４を備え、視聴者側にタグ５、リモートコントローラ（以下、リモコン）６を備えて構成される。ディスプレイ２は、例えば、ＣＲＴ（Ｃａｔｈｏｄｅ  Ｒａｙ  Ｔｕｂｅ）、プラズマディスプレイ、リアプロジェクション、フロントプロジェクション、液晶表示ディスプレイなど各種ディスプレイで構成することができる。以下、ディスプレイ２やスピーカ３をまとめて表示手段とも呼ぶ。
【００１７】
放送受信装置１は、例えば地上波放送や衛星放送またはケーブル放送等の各種通信網から入力される放送番組を受信し、ディスプレイ（表示手段）２に映像を表示させ、スピーカ（表示手段）３に音声を出力させる。また、図示しない光ディスクやハードディスクまたはビデオテープ等の記録媒体から再生された放送番組を入力することも可能である。視聴者Ｕ１、Ｕ２は、年令などの視聴者情報をタグ５に格納して携帯する。放送受信装置１は、放送信号に含まれる当該放送番組の視聴制限情報と、視聴者Ｕ１、Ｕ２の視聴者情報を比較し、当該放送番組が視聴制限の対象であれば、表示手段２，３での視聴を停止させる。
【００１８】
放送受信装置１は、各視聴者の携帯するタグ５から発信される信号をセンサ４にて受信し、視聴者情報を解析する。あるいは、視聴者Ｕ１、Ｕ２がリモコン６を操作して、視聴制限条件を手動で入力することもできる。
【００１９】
放送受信装置１は、視聴者情報が当該番組の視聴制限の対象であると認識した場合には、映像の表示と音声の出力を停止する。状況によっては、一方のみを停止させてもよい。映像または音声を停止している間、視聴制限中である旨を伝えるメッセージや警告等をディスプレイ２に表示したり、スピーカ３から出力することもできる。
【００２０】
センサ４は、放送受信装置１またはディスプレイ２に取り付けられるか、その近傍に設置され、タグ５から発信される視聴者情報の信号を受信し、放送受信装置１に伝送する。放送受信装置１は、一定時間ごとに受信した視聴者情報を確認し、視聴者を識別する。さらに、後述するように、タグ５との交信可能距離を所定距離に設定することで、視聴者の位置を認識することもできる。
【００２１】
タグ５は、各視聴者が個別に携帯するもので、視聴者情報の信号を無線信号で所定距離の範囲まで発信する。タグ５は、例えば、無線ＩＣチップを内蔵した名札やカード等で構成し、視聴者の衣服等に取り付けることができる。視聴者情報としては、例えば視聴者の年令やＩＤや性別等が有効であり、書換えが可能である。
【００２２】
本実施例では、ディスプレイ２やスピーカ３などの表示手段を放送受信装置１から分離した構成を示しているが、一体型構成であってもよい。また、切り離した場合は両者を有線または無線で接続することもできる。
【００２３】
このような構成の放送受信システムによれば、例えば、放送中の番組が未成年に視聴制限のかかる番組であって、未成年であることを示すタグ５を携帯した視聴者Ｕ１がディスプレイ２（センサ４）から所定距離以内に入ると、現在放送中の番組の表示は停止する。視聴制限を行う条件は、年令の他に性別やディスプレイ２からの視聴者の距離とすることもできる。視聴者タグ５にはこれらの視聴者情報を格納し、また適用する制限条件は、リモコン６によって選択することができる。
【００２４】
図２は、本発明の放送受信装置の一実施例を示すブロック図である。放送受信装置１は、受信制御部１０と視聴者情報管理部２０と操作信号受信部３０とを備える。
【００２５】
受信制御部１０において、アンテナ１１、チューナ１２を介して受信された放送信号は、復調回路１３によって復調され、ＡＶデコーダ１４によってデコードされ、映像信号と音声信号となる。映像信号は、映像出力回路１５を介してディスプレイ２に出力され、音声信号は、音声出力回路１６を介してスピーカ３に出力される。なお、図示していないが、光ディスクやハードディスクまたはビデオテープ等の記録媒体から記録されている番組を読み出す媒体再生部を備え、再生信号をＡＶデコーダ１４を介してディスプレイ２やスピーカ３に出力することもできる。
【００２６】
ここでＡＶデコーダ１４（以下、制限情報取得部とも呼ぶ）は、入力した放送信号から視聴制限情報を取得し、視聴者情報管理部２０に伝送する。視聴者制限情報は、例えばデジタル放送における放送データのヘッダ部に記述され、例えば未成年者の視聴を制限する番組であることを示すコードが付与されている。
【００２７】
番組記録部１７は、ハードディスクドライブや半導体メモリドライブなどの記録媒体から構成され、例えば視聴制限した場合にその番組のデータを蓄積しておくことができる。また、視聴制限中に出力するメッセージに用いる映像・音声データを蓄積しておくこともできる。
【００２８】
視聴制御部１８は、視聴者情報管理部２０から受けた制御信号に従い、ＡＶデコーダ１４の動作を制御する。すなわち、視聴制限する制御信号を受けた場合には、ＡＶデコーダ１４に対し、映像・音声信号の出力を停止させる。あるいは視聴制御部１８は、映像出力回路１５や音声出力回路１６に対して、それらの出力動作を停止させてもよい。このとき視聴制御部１０８は、視聴制限中の番組を、ＡＶデコーダ１４から番組記憶部１７に自動的に記録させる。そして、視聴制限が解除された後にタイムシフト再生することも可能である。
【００２９】
視聴者情報管理部２０は、解析部２１と視聴者情報入力部２２と備える。センサ４からの視聴者情報は、視聴者情報入力部２２を介して解析部２１に入力される。解析部２１は、受信制御部１０（制限情報取得部１４）から入力された受信中の番組の視聴制限情報と、センサ４から入力された視聴者情報とを比較し、視聴制限対象の解析を行う。視聴制限すべきと判定した場合、受信制御部１０に視聴停止の制御信号を出力する。
【００３０】
すなわち解析部２１は、センサ４から入力された交信可能範囲内の視聴者情報が、受信制御部１０から入力された当該番組の視聴制限情報の対象である場合には、視聴制御部１８に視聴停止の制御信号を出力する。その場合、視聴者（すなわちタグ）と交信可能な距離を調整することで、視聴者を識別する距離の閾値を設定する。すなわち、交信できれば視聴者は所定の距離以内に位置すると判定し、視聴停止の制御信号を出力する。
【００３１】
また、視聴者情報管理部２０は、リモコン６からの操作信号に応じて制限対象とする年令の決定や、視聴制限の自動制限モード、手動制限モードの切り替え等の処理を行う。自動制限モードは、タグ５から発信される視聴者情報に従って番組の視聴を制限するモードである。一方、手動制限モードは、視聴者がリモコン６で設定した視聴制限条件に従って番組の視聴を制限するモードである。これらのモードは、操作信号受信部３０を介してリモコン６から入力される。視聴制限が手動制限モードのとき、受信制御部１０からの視聴制限情報が手動で設定された制限年令の対象となる番組である場合には、解析部２１は視聴制御部１８に対し、視聴停止の制御信号を出力する。
【００３２】
操作信号受信部１２は、リモコン６からの操作信号を受信して処理する。視聴者からの指示を受信制御部１０、視聴者情報管理部２０にそれぞれ出力する。すなわち視聴者は、リモコン６を介して選局や音量調節、画質調節等を指示するだけでなく、視聴制限条件を変更して設定したい場合、リモコン６から視聴者情報管理部２０に入力できる。これにより、例えば視聴制限を行う年令などを独自に設定することができる。
【００３３】
図３は、本実施例で用いるタグ４の内部構成の一例を示す図である。
５１はセンサ４と無線通信を行うアンテナ、５２は信号を送受信する送受信部である。５５は視聴者情報を格納する情報記録部で、５４はセンサ４との交信距離を切り替える通信距離切替部である。５３は情報記録部５５に格納した視聴者情報を更新したり、通信距離切替部５４を調節した際に視聴者情報を更新したりする情報更新部である。
【００３４】
情報更新部５３により、情報記録部５５への視聴者情報の書き換えを行うために、タグ５は書き換え可能なＩＣとし、センサ４によるリード機能だけでなくライト機能をもたせる。そして、ディスプレイに視聴者情報登録画面を表示し、ユーザは画面を見ながら新たな情報を入力して視聴者情報を書き換えることができる。
【００３５】
上記実施例では、視聴者の年令制限を行う場合を例に述べたが、年令以外の各種制限を適用することができる。つまり、視聴者が見たくない（見せたくない）と思うシーンをタグに登録することができる。
【００３６】
図４は、視聴者が視聴制限の条件を登録する方法を示す図である。まず、ディスプレイに視聴制限のメニュー画面として、タグ選定の画面４１を表示する。この場合、変更登録できるのは許可された者に限定するため、表示前に暗証番号等の入力を促すのが望ましい。画面４１には、通信可能範囲内にあるタグのＩＤを表示する。視聴者のタグＩＤを選択すると、制限条件の入力画面４２が表示される。視聴者は、見たくない（見せたくない）シーンをラジオボタンで選択する。登録ボタンを押すと、選択したタグに入力した制限条件が登録（格納）される。
【００３７】
本実施例では、視聴者の位置を識別するため、タグ５とセンサ４の間の交信可能距離を任意に設定できるようにしている。その場合の設定方法を説明する。
【００３８】
（１）タグ５側で交信可能範囲を変更する場合。タグ５の電波出力を切り替えて交信距離を変更する（例えば、出力を０．０４ｍＷ強くすると交信可能範囲は１ｍが広がる）。１つのタグ５に電波出力の異なる複数の無線ＩＣチップを内蔵し、ＩＣチップを選択する。もしくは、タグ５に電波出力を切り替え可能な無線ＩＣチップを内蔵し、電波出力を調節する。電波出力の切替えのため、タグ５には切替えスイッチ５４を設ける。
【００３９】
（２）センサ４側で交信可能範囲を変更する場合。センサ４に電力伝送機構を内蔵し、タグ５はセンサ４からの非接触電力伝送により視聴者情報の発信を行うものとする。そして伝送する電力の大きさを調節することによって交信可能範囲を切り替える（例えば、センサ４からの伝送電力を０．０４ｍＷ強くすると交信可能範囲は１ｍ広がる）。センサ４の伝送電力の切り替えは、例えば、リモコン６を用いて操作する。センサ側で交信可能範囲を設定すると、部屋の中の視聴者に対する制限や近づきすぎた幼児への警告が行える。
【００４０】
図５は、本実施例の視聴制限処理を示すフローチャートである。ここでは、制限条件として年令条件（Ｘｍ才未満）で視聴制限処理を行う場合を示す。
【００４１】
リモコン６からの選局操作、放送中の番組の切り替え、記録媒体からの番組再生開始時など、入力する番組の切り替えが行われると（Ｓ１００）、ＡＶデコーダ（制限情報取得部）１４は入力された番組の視聴制限情報（この場合は年令制限Ｘｍ）を取得する（Ｓ１０１）。視聴者情報管理部２０は、自動制限モードに設定されているか否かを判定する（Ｓ１０２）。
【００４２】
自動制限モードに設定されている場合（Ｓ１０２でＹＥＳ）、センサ４は視聴者情報の交信可能範囲にあるタグ５から視聴者情報を取得する（Ｓ１０３）。続いて、視聴者情報入力部２２において視聴者情報から視聴者の年令情報Ｘ１を取得する（Ｓ１０４）。解析部２１において視聴者の年令Ｘ１と番組の視聴制限年令Ｘｍと比較する（Ｓ１０５）。
【００４３】
視聴者の年令Ｘ１が番組の視聴制限年令Ｘｍ未満である場合（Ｓ１０５でＹＥＳ）、解析部２１は視聴制御部１８に視聴停止の制御信号を出力し、その番組の映像・音声の出力を停止させる（Ｓ１０６）。このとき、ディスプレイ２には、視聴制限（年令制限）のために視聴できない旨を表示する。視聴者の年令Ｘ１が番組の視聴制限年令Ｘｍ以上である場合（Ｓ１０５でＮＯ）、解析部２１は視聴制御部１８に視聴開始の制御信号を出力し、その番組の映像・音声の出力を開始させる（Ｓ１０７）。
【００４４】
また自動制限モードに設定されていない場合（Ｓ１０２でＮＯ）には、手動で設定されているユーザ指定の視聴制限年令Ｘ２と番組の視聴制限年令Ｘｍを比較する（Ｓ１０８）。
【００４５】
ユーザ指定年令Ｘ２が番組の視聴制限年令Ｘｍ未満場合（Ｓ１０８でＹＥＳ）、解析部２１は視聴制御部１８に視聴停止の制御信号を出力し、その番組の映像・音声の出力を停止させる（Ｓ１０９）。このとき、ディスプレイ２には、視聴制限（年令制限）のために視聴できない旨や警告を表示する。ユーザ指定年令Ｘ２が番組の視聴制限年令Ｘｍ以上である場合（Ｓ１０８でＮＯ）、解析部２１は視聴制御部１８に視聴開始の制御信号を出力し、その番組の映像・音声の出力を開始させる（Ｓ１１０）。
【００４６】
図６は、本実施例の他の視聴制限処理を示すフローチャートである。ここでは、制限条件として距離条件で視聴制限処理を行う場合を示す。
【００４７】
視聴者情報管理部２０は、自動制限モードに設定されているか否かを判定する（Ｓ２０１）。自動制限モードに設定されている場合（Ｓ２０１でＹＥＳ）、センサ４はタグ５から視聴者情報を取得する（Ｓ２０２）。続いて、視聴者情報入力部２２において視聴者情報から視聴者の距離情報を抽出する。その際、タグ５との交信可能範囲を所定の値に設定しておき、交信可能か否かで視聴者の距離を識別する（Ｓ２０３）。解析部２１において視聴者（タグ）との距離が制限範囲内であるかを判定する（Ｓ２０４）。
【００４８】
制限範囲内である場合（Ｓ２０４でＹＥＳ）、解析部２１は視聴制御部１８に視聴停止の制御信号を出力し、その番組の映像・音声の出力を停止させる（Ｓ２０５）。このとき、ディスプレイ２やスピーカ３には、距離制限のために視聴できない旨を表示し、異常接近に対し警告を発する。制限範囲内になければ（Ｓ２０４でＮＯ）、解析部２１は視聴制御部１８に視聴開始の制御信号を出力し、その番組の映像・音声の出力を開始させる（Ｓ２０６）。自動制限モードに設定されていない場合には（Ｓ２０１でＮＯ）、その番組の映像・音声の出力を開始させる（Ｓ２０６）。
【００４９】
図５で述べた年令制限処理と、図６で述べた距離制限処理とは、単独でもまた組み合わせても実施できる。これらを組み合わせれば、例えば、子供などがディスプレイに近づきすぎたら警告を発するなどの視聴制御を行うことができる。
【００５０】
本実施例によれば、視聴者の情報を各視聴者が携帯しているタグにより認識し、その放送番組の視聴制限の対象となる視聴者がいる場合には自動的に視聴を停止することができる。その際、汎用のタグを利用する簡単な構成で実現できるので、放送受信システム（受信装置）は簡素化できる。
【実施例２】
【００５１】
図７は、本発明の放送受信装置の他の実施例を示すブロック図である。
本実施例では、実施例１（図２）で示した放送受信装置の機能に加え、視聴者情報に変化があったときにその情報を外部の遠隔制御装置７に通知するものである。さらに、遠隔制御装置７はその情報を元に、放送受信装置に対し視聴制限を加えることができるようにしたものである。図２と共通の部分の説明は省略する。
【００５２】
視聴者情報管理部２０には、視聴者情報記録部２３と視聴者情報送受信部２４を付加した。視聴者情報記録部２３は、例えば、ハードディスクドライブや半導体メモリドライブなどの記録媒体を用いる。そして、視聴者情報入力部２２を介して取得した複数の視聴者情報を蓄積する。視聴者情報送受信部２４は、視聴者情報の変化を遠隔制御装置７に通知し、遠隔制御装置７からの制御信号を受信する。
【００５３】
解析部２１は、視聴制限の要否判定に加えて、視聴者情報入力部２２から入力した視聴者情報と、視聴者情報記録部２３に蓄積された以前の視聴者情報とを比較する。ここで比較情報とは、例えば、新たな視聴者情報が取得され、視聴者情報の交信可能範囲に視聴者が追加された場合や、視聴者情報が１つも取得できず、視聴者情報の交信可能範囲に誰もいなくなった場合等の情報である。比較結果の情報は、視聴者情報送受信部２４を介して遠隔制御装置７へ送信する。
【００５４】
遠隔制御装置７は、当該放送受信装置１とは別の部屋に設置し、視聴者情報送受信部２４と遠隔制御装置７は、例えば、ブルートゥース等の無線技術によって接続される。遠隔制御装置７を操作可能な第３者は、他のディスプレイやインターネットを介して、放送受信装置１（ディスプレイ２）の視聴者の変化を確認できる。視聴者の変化を知った第３者は、必要に応じ、放送受信装置１の視聴者に対して、現在の視聴制限を解除したり新たな視聴制限を追加したりすることができる。その場合は、遠隔制御装置７から放送受信装置１の視聴者情報送受信部２４に対して制御信号を送り、解析部２１の視聴制限の判定条件の設定を変更する。
【００５５】
図８は、本実施例における遠隔制御装置への通知処理を示すフローチャートである。解析部２１はセンサ４から視聴者情報入力部２２を介して入力された視聴者情報を取得し（Ｓ３００）、視聴者情報記録部２３に蓄積する（Ｓ３０１）。解析部２１は視聴者情報入力部２２から新たに視聴者情報が入力される毎に、視聴者情報記録部２３に蓄積された視聴者情報との比較を行う（Ｓ３０２）。視聴者情報に変化があった場合（Ｓ３０２でＹＥＳ）、解析部２１は変化した情報を解析する（Ｓ３０３）。比較結果は、視聴者情報送受信部２４を介して遠隔制御装置７に通知する（Ｓ３０４）。視聴者情報に変化がなかった場合（Ｓ３０２でＮＯ）、そのまま処理を終了する。
【００５６】
本実施例では、放送受信装置を視聴している視聴者の変化を検出し、遠隔地の第３者にその情報を通知することができる。これより第３者は、遠隔地にいながら特定の放送受信装置の周囲の状況を把握することができる。さらに第３者は、必要に応じ、遠隔地から視聴の制限を行うことができる。このシステムを用いれば、別の部屋にいる視聴者（家族）だけでなく、遠隔地で離れて生活している家族の状況を把握することもできる。
【００５７】
本発明は、上記実施例に限らず、その要旨を逸脱しない範囲内で種々変形して実施することが可能である。上記実施例では、視聴制限として年令制限と距離制限の場合について述べたが、これに限定されず、視聴者が独自に制限条件を設定して登録することができる。
【図面の簡単な説明】
【００５８】
【図１】本発明の放送受信装置を含む放送受信システムの一実施例を示す図。
【図２】本発明による放送受信装置の一実施例を示すブロック図。
【図３】本実施例で用いるタグ４の内部構成の一例を示す図。
【図４】視聴者が視聴制限の条件を登録する方法を示す図。
【図５】本実施例の視聴制限処理を示すフローチャート。
【図６】本実施例の他の視聴制限処理を示すフローチャート。
【図７】本発明による放送受信装置の他の実施例を示すブロック図。
【図８】本実施例における遠隔制御装置への通知処理を示すフローチャート。
【符号の説明】
【００５９】
１…放送受信装置、２…ディスプレイ、３…スピーカ、４…センサ、５…タグ、６…リモートコントローラ、７…遠隔制御装置、Ｕ１，Ｕ２…視聴者、１０…受信制御部、１１…アンテナ、１２…チューナ、１３…復調回路、１４…ＡＶデコーダ（制限情報取得部）、１５…映像出力回路、１６…音声出力回路、１７…番組記憶部、１８…視聴制御部、２０…視聴者情報管理部、２１…解析部、２２…視聴者情報入力部、２３…視聴者情報記録部、２４…視聴者情報送受信部、３０…操作信号受信部。
【図１】
2007158654.tif 000003
【図２】
2007158654.tif 000004
【図３】
2007158654.tif 000005
【図４】
2007158654.tif 000006
【図５】
2007158654.tif 000007
【図６】
2007158654.tif 000008
【図７】
2007158654.tif 000009
【図８】
2007158654.tif 000010